(57)【要約】      （修正有）【課題】ケーブルの接続部を覆う、内部に浸水し難いコネクタカバーを提供する。【解決手段】コネクタ３ａ、３ｂ、両側の筒状プロテクタ７の周囲は、全体として略紡錘状とされ、上蓋１１ａと下蓋１１ｂとから成る２つ割りのカバー１１によって覆われている。上蓋１１ａと下蓋１１ｂとの両端以外の合わせ目は、外側に突出した幅広の平面部１３とし、下蓋１１ｂの外部に外側リブ１５を設けて、カバーを設置面より高く位置するようにした。【選択図】図２
2007018894.tif 000002
【特許請求の範囲】
【請求項１】
ケーブル同士の接続部を覆う上蓋と下蓋とから成るカバーであって、前記上蓋と下蓋との合わせ目を外側に突設した幅広の平面部としたことを特徴とするコネクタカバー。
【請求項２】
ケーブル同士の接続部を覆う上蓋と下蓋とから成り、前記上蓋と下蓋との合わせ目を外側に突出した平面部とし、前記下蓋の外部に外側リブを設け、前記カバーを設置面よりも高く位置するようにしたことを特徴とするコネクタカバー。
【請求項３】
前記下蓋の内部底部に内側リブを設け、前記接続部を前記内側リブ上に載置するようにしたことを特徴とする請求項１又は２に記載のコネクタカバー。
【請求項４】
前記上蓋と下蓋とを合わせた前記カバーの外形を略紡錘状とし、前記上蓋と下蓋を両端において結合したことを特徴とする請求項１又は２に記載のコネクタカバー。
【請求項５】
前記上蓋と下蓋とをナットを螺合して結合したことを特徴とする請求項４に記載のコネクタカバー。
【発明の詳細な説明】
【技術分野】
【０００１】
本発明は、ケーブルの接続部を覆うコネクタカバーに関するものである。
【背景技術】
【０００２】
例えば、多数本の例えば信号線を束ねたケーブル同士のコネクタにより接続した接続部をカバーする場合に、メンテナンスを考慮すると、容易に開閉などが可能な簡易な構造であることが望ましい。
【発明の開示】
【発明が解決しようとする課題】
【０００３】
しかし、簡易な構造であればあるほど、雨水等がカバー内に侵入し易く、場合によっては泥水が入り込むことがある。
【０００４】
また、カバーに泥が付着すると、メンテナンスに支障が生ずることがある。
【０００５】
本発明の目的は、上述の課題を解消し、内部への浸水を防止できるコネクタカバーを提供することにある。
【０００６】
また、本発明の他の目的は、カバーを設定面から持ち上げて配置するコネクタカバーを提供することにある。
【課題を解決するための手段】
【０００７】
上述の目的を達成するための本発明に係るコネクタカバーの技術的特徴は、ケーブル同士の接続部を覆う上蓋と下蓋とから成るカバーであって、前記上蓋と下蓋との合わせ目を外側に突設した幅広の平面部としたことにある。
【０００８】
また、本発明に係るコネクタカバーの技術的特徴は、ケーブル同士の接続部を覆う上蓋と下蓋とから成り、前記上蓋と下蓋との合わせ目を外側に突出した平面部とし、前記下蓋の外部に外側リブを設け、前記カバーを設置面よりも高く位置するようにしたことにある。
【発明の効果】
【０００９】
本発明に係るコネクタカバーによれば、上蓋と下蓋との合わせ目を幅広の平面部とすることによりカバー内への浸水が大きく防止される。
【００１０】
また、カバーを設置面よりも高く位置させることにより、カバーが泥中に埋まる虞れが少なくなる。
【発明を実施するための最良の形態】
【００１１】
本発明を図示の実施例に基づいて詳細に説明する。
図１は実施例の縦断面図、図２は分解斜視図であり、ケーブル１ａ、１ｂ中の多数本の電線２ａ、２ｂは、一対の合成樹脂製のコネクタ３ａ、３ｂにより接続されている。コネクタ３ａ、３ｂ内には接続端子が収納されており、これらの接続端子に電線２ａ、２ｂがそれぞれ接続されており、コネクタ３ａと３ｂとを嵌合すると、双方の接続端子が電気的に接続されるようになっている。
【００１２】
なお、コネクタ３ａ、３ｂ同士の間は、図示しない合成ゴム製のシール部材により合わせ目から水が浸入しないようにされ、更に各電線２ａ、２ｂごとにコネクタ３ａ、３ｂのハウジングとの間が、シール部材により同様にシールされているため、コネクタ３ａ、３ｂの前方又は後方からコネクタ３ａ、３ｂ内に水が浸入することはない。
【００１３】
なお、コネクタ３ａにはカム溝４を有する回動レバー５が設けられ、カム溝４に相手側コネクタ３ｂに設けたピン６を係止して、回動レバー５の回動による両者のてこ作用によってコネクタ３ａ、３ｂ同士を大きな力を要せずに嵌合、解離できるようになっている。
【００１４】
コネクタ３ａの後方には、合成樹脂製の筒状プロテクタ７が取り付けられており、コネクタ３ｂの後方にも同様な筒状プロテクタ７が配置され左右においてほぼ同様の構造とされている。筒状プロテクタ７のコネクタ３ａ側は、コネクタ３ａの後部を覆うと共に嵌合する形状に形成され、コネクタ３ａとの間に合成ゴム製のシール部材８が介在されており、筒状プロテクタ７への前方からの水の浸入が阻止されている。更に、筒状プロテクタ７とケーブル１ａ、１ｂの絶縁被覆９との間に、合成ゴムから成る円筒状のグロメット１０が介在されている。グロメット１０の内面及び外面には断面波形のシール部が形成され、このシール部によって筒状プロテクタ７内への後方からの水の浸入が阻止されている。
【００１５】
更に、これらのコネクタ３ａ、３ｂ、両側の筒状プロテクタ７の周囲は、合成樹脂又は金属製の全体として略紡錘状とされ、上蓋１１ａと下蓋１１ｂとから成る２つ割りのカバー１１によって覆われている。カバー１１の中央部はコネクタ３ａ、３ｂを収容するために大径とされ、両側にゆくにつれ小径とされている。
【００１６】
また、カバー１１の両端部はケーブル１ａ、１ｂが通過し得る内側を向くフランジ１２が設けられ、筒状プロテクタ７の移動は制約されている。図３の横断面図にも示すように、上蓋１１ａと下蓋１１ｂとの両端以外の合わせ目は外側に突出した幅広の平面部１３とされている。上蓋１１ａと下蓋１１ｂとを合わせた状態における両端の小径の円筒部にはねじ溝１４が形成され、後述するナットが螺合されるようになっている。
【００１７】
更に補強のために、上蓋１１ａ、下蓋１１ｂの内外両面の長手方向と直交する方向に外側リブ１５、内側リブ１６が設けられ、特に下蓋１１ｂの外周の外側リブ１５はカバー１１を設置面から持ち上げて高く位置させる役割を果たしており、内側底部の内側リブ１６はカバー１１内に内蔵するコネクタ３ａ、３ｂを持ち上げ、コネクタ３ａ、３ｂを底部から離れて位置させる役割を果たしている。
【００１８】
カバー１１の両端には、合成ゴム製の略円筒形のブッシュング１７が突き当てられ、ブッシュング１７の外側のテーパ面に、このテーパ面に適合する形状の金属製スリーブ１８が嵌合されている。ブッシュング１７、スリーブ１８の上から金属製又は合成樹脂製のナット１９が被着され、このナット１９はカバー１１に端部に設けたねじ溝１４に螺合され、ナット１９の内側に向けて設けた縁部１９ａによって、ブッシュング１７をスリーブ１８を介してカバー１１の中央側に向けて押さえ付けている。
【００１９】
図４に示すように、カバー１１によりコネクタ３ａ、３ｂ、両側の筒状プロテクタ７は機械的に保護され、コネクタ３ａ、３ｂの後方に連結した筒状プロテクタ７内への浸水は、シール部材８、グロメット１０により防止され、ケーブル１ａ、１ｂ内に水が入り込むことが阻止される。
【００２０】
特に、上蓋１１ａと下蓋１１ｂの水平方向の合わせ目は幅広の平面部１３となっているために、雨水等が浸水し難く、また仮に浸入しても、内側リブ１６によりコネクタ３ａ、３ｂは高く持ち上げられているために泥水に浸ることがなくなる。
【００２１】
更に、下蓋１１ｂの外周の外側リブ１５がカバー１１を設置面より持ち上げているので、設置面が泥に埋まっていてもメンテナンス時にカバー１１を容易に取り出すことができる。
【００２２】
なお、コネクタ３ａ、３ｂにおける接続端子の位置を変更するなどの必要が生じて分解する場合には、ナット１９を緩めてカバー１１を外し、筒状プロテクタ７をコネクタ３ａ、３ｂから外して外方にずらし、コネクタ３ａ、３ｂ同士を解離してから接続端子を入れ換えれば容易に変更が可能となる。
【図面の簡単な説明】
【００２３】
【図１】実施例の縦断面図である。
【図２】分解斜視図である。
【図３】横断面図である。
【図４】組立状態の斜視図である。
【符号の説明】
【００２４】
１ａ、１ｂ  ケーブル
２ａ、２ｂ  電線
３ａ、３ｂ  コネクタ
７  筒状プロテクタ
１０  グロメット
１１  カバー
１１ａ  上蓋
１１ｂ  下蓋
１５  外側リブ
１６  内側リブ
１７  ブッシュング
１９  ナット
【図１】
2007018894.tif 000003
【図２】
2007018894.tif 000004
【図３】
2007018894.tif 000005
【図４】
2007018894.tif 000006